(57)【要約】【課題】自動停止・再始動時の暖房フィーリングを良好にした空調装置を備えた車両を提供すること。【解決手段】車両は、駆動源としてのエンジン２と、所定の条件でエンジン２を自動停止・再始動可能な機能を備えている。その車両は、エンジン２の自動停止・再始動の許可の判断を、車室内の空気を所定の温度に制御する空調装置１のファン電圧に基づいて行う。【選択図】      図１
2004360580.tif 000002
【特許請求の範囲】
【請求項１】
車両の駆動源としてのエンジンを備え、所定の条件で前記エンジンを自動停止・再始動可能な車両であって、
前記車両は、前記エンジンの自動停止・再始動の許可の判断を、車室内の空気を所定の温度に制御する空調装置のファン電圧に基づいて行うことを特徴とする空調装置を備えた車両。
【請求項２】
車両の駆動源としてのエンジンを備え、所定の条件で前記エンジンを自動停止・再始動可能な車両であって、
前記車両は、前記エンジンの自動停止・再始動の許可の判断を、車室内の空気を所定の温度に制御する空調装置のエアミックスドアの開度に基づいて行うことを特徴とする空調装置を備えた車両。
【請求項３】
前記車両は、前記エンジンが自動停止した後、前記エンジンの冷却水の水温に基づいてエアミックスドアの開度を調整することを特徴とする請求項１又は請求項２に記載の空調装置を備えた車両。
【請求項４】
前記空調装置は、前記車両が走行中に、エアミックスドアの開度または前記エンジンの冷却水の水温に応じて、前記エアミックスドアを作動させる所定係数を持ち替えることを特徴とする請求項１又は請求項２に記載の空調装置を備えた車両。
【請求項５】
前記空調装置は、外気温度を任意の領域に分けて計測するとともに、
前記空調装置に設置された電動ウォータポンプが、前記外気温度と前記エンジンの冷却水の水温によって作動することを特徴とする請求項１又は請求項２に記載の空調装置を備えた車両。
【請求項６】
前記空調装置は、前記エンジンの冷却水の循環通路に、前記エンジンによって作動する機械式ウォータポンプと、電動ウォータポンプとを有するとともに、
前記電動ウォータポンプが故障したときに、前記エンジンの自動停止を禁止することを特徴とする請求項１又は請求項２に記載の空調装置を備えた車両。
【発明の詳細な説明】
【０００１】
【発明の属する技術分野】
本発明は、エンジンを自動停止・再始動可能な車両において、エンジンが自動停止したときに空調性能を良好に保つことができる空調装置を備えた車両に関する。
【０００２】
【従来の技術】
近年、エンジンの低燃費化と排気ガスの排出量の低減化に伴いエンジンの自動停止・再始動（アイドリングストップ）機能を備えた車両が増加傾向にある。このエンジンの自動停止・再始動機能付き車両では、空調装置を使用中に車両を自動停止させると、エンジンの自動停止・再始動が行われて、このエンジンの停止に伴って暖房用のウォータポンプや冷房用の圧縮機が作動できなくなる。
その結果、暖房装置においては、エンジンの冷却水の循環が停止し、暖房装置への熱の供給が急速に低減して車室内の温度が低下する。
一方、冷房装置（除湿装置）においては、外気温度が低い場合、圧縮機の停止によって除湿機能が停止し、乗員が呼吸する息で湿度が上昇して、窓ガラスが曇るという不都合が発生する。
【０００３】
そこで、暖房装置においては、エンジンの自動停止・再始動機能によってエンジンが停止したときに、電動ウォータポンプを自動的に作動させてエンジンの冷却水を循環させるとともに、車室内への送風を継続させて、送風温度が急速に低下することを防止している（例えば、特許文献１）。
一方、冷房装置においては、車室内の温度に応じて一時的にエンジンを駆動させることによって圧縮機を作動させて、車室内の温度を適温に調整させる空調装置が提案されている。
【０００４】
また、従来のエンジンの自動停止・再始動機能付き車両では、車室温度センサによって検出した車室内の温度と、空調装置から車室内に吐出される空気の目標吹き出し温度（ＴＡＯ）とが、それぞれ所定値以下のときにはエンジンの自動停止を禁止しているものがある。
従来のエンジンの自動停止・再始動機能付き車両において、エンジンの冷却水の水温が低く目標吹き出し温度（ＴＡＯ）が不安定なときと、バッテリ残容量（ＳＯＣ）が低くウォータポンプを作動できないときには、ブロアファンモータによる送風を止めるとともに、エンジンを再始動させて空調装置の暖房能力を安定させるものがある。
【０００５】
【特許文献１】
特開２００２−３６８５９号公報（段落番号［００１５］、図１および図２）
【０００６】
【発明が解決しようとする課題】
しかしながら、これらの従来のエンジンの自動停止・再始動機能付き車両では、空調装置に使用されている各種センサが制御を行うまでの反応速度が遅い。このため、エンジンを自動停止・再始動しているときの時間が短縮されたり、エンジンの再始動時の水温低下に伴いブロアファンモータによる送風が停止されて、暖房フィーリングが悪いという問題点があった。
【０００７】
本発明の課題は、自動停止・再始動時の暖房フィーリングを良好にした空調装置を備えた車両を提供することにある。
【０００８】
【課題を解決するための手段】
前記課題を解決するために、請求項１に記載の空調装置を備えた車両は、車両の駆動源としてのエンジンを備え、所定の条件で前記エンジンを自動停止・再始動可能な車両であって、前記車両は、前記エンジンの自動停止・再始動の許可の判断を、車室内の空気を所定の温度に制御する空調装置のファン電圧に基づいて行うことを特徴とする。
【０００９】
請求項１に記載の本発明によれば、空調装置を備えた車両は、エンジンの自動停止・再始動の許可の判断を、空調装置のファンの電圧信号によって行うことにより、エンジンの自動停止・再始動の許可信号を早く出すことができるため、エンジンの自動停止・再始動させるときのエンジンの自動停止時間を長くして燃費を改善するとともに、空調フィーリングを良好にすることができる。
【００１０】
請求項２に記載の空調装置を備えた車両は、請求項１に記載の空調装置を備えた車両であって、車両の駆動源としてのエンジンを備え、所定の条件で前記エンジンを自動停止・再始動可能な車両であって、前記車両は、前記エンジンの自動停止・再始動の許可の判断を、車室内の空気を所定の温度に制御する空調装置のエアミックスドアの開度に基づいて行うことを特徴とする。
なお、ファン電圧とは、例えば、ファンを駆動するモータの端子電圧である。
【００１１】
請求項２に記載の本発明によれば、空調装置を備えた車両は、エンジンの自動停止・再始動の許可の判断を、空調装置のエアミックスドアの開度に基づいて行うことにより、エンジンが再始動して、空調装置をエンジンが自動停止する前の制御に戻すときの暖房フィーリングを良好にすることができる。
【００１２】
請求項３に記載の空調装置を備えた車両は、請求項１又は請求項２に記載の空調装置を備えた車両であって、前記車両は、前記エンジンが自動停止した後、前記エンジンの冷却水の水温に基づいてエアミックスドアの開度を調整することを特徴とする。
【００１３】
請求項３に記載の本発明によれば、空調装置を備えた車両は、エンジンが自動停止した後、エンジンの冷却水の水温に基づいてエアミックスドアの開度を調整することにより、空調装置から吐出される空気の吹き出し温度をエンジンの冷却水の水温の変化に左右されることなく維持させることができ、暖房フィーリングを良好にすることができる。
【００１４】
請求項４に記載の空調装置を備えた車両は、請求項１又は請求項２に記載の空調装置を備えた車両であって、前記空調装置は、前記車両が走行中に、エアミックスドアの開度または前記エンジンの冷却水の水温に応じて、前記エアミックスドアを作動させる所定係数を持ち替えることを特徴とする。
【００１５】
請求項４に記載の本発明によれば、空調装置を備えた車両は、空調装置が、エアミックスドアの開度またはエンジンの冷却水の水温に応じて、エアミックスドアを作動させる所定係数を持ち替えることにより、エアミックスドアの開度またはエンジンの冷却水の水温によってエアミックスドアを適宜に作動させることができる。このため、空調装置から吐出される空気の吹き出し温度は、エアミックスドアの開度またはエンジンの冷却水の水温の変化の影響を直接受けて左右されることがなく、暖房フィーリングを良好にすることができる。
【００１６】
請求項５に記載の空調装置を備えた車両は、請求項１又は請求項２に記載の空調装置を備えた車両であって、前記空調装置は、外気温度を任意の領域に分けて計測するとともに、前記空調装置に設置された電動ウォータポンプが、前記外気温度と前記エンジンの冷却水の水温によって作動することを特徴とする。
【００１７】
請求項５に記載の本発明によれば、空調装置は、電動ウォータポンプが外気温度の領域とエンジンの冷却水の水温との作動条件によって作動するようにできる。これにより、空調装置は、外気温が低いとき、冷却水が高水温時から電動ウォータポンプを作動させることができるため、暖房性能を確保して、空調装置から車室内に吐出される空気の吹き出し温度を適宜に調整して、暖房フィーリングを良好にすることができる。
一方、空調装置は、外気温が高いとき、エンジンの冷却水が低水温時から電動ウォータポンプを作動させることができることにより、冷却水が低水温時からエンジンの自動停止・再始動の許可をすることができるため、燃費の改善を図ることができる。
【００１８】
請求項６に記載の車両用空調装置は、請求項１又は請求項２に記載の空調装置を備えた車両であって、前記空調装置は、前記エンジンの冷却水の循環通路に、前記エンジンによって作動する機械式ウォータポンプと、電動ウォータポンプとを有するとともに、前記電動ウォータポンプが故障したときに、前記エンジンの自動停止を禁止することを特徴とする。
【００１９】
請求項６に記載の本発明によれば、空調装置を備えた車両は、電動ウォータポンプが故障したときに、エンジンの自動停止を禁止することにより、そのエンジンによって作動してエンジンの冷却水を循環させるための機械式ウォータポンプの作動を継続させることができる。これにより、空調装置の作動を維持させて、車室内を快適な温度に維持させることができる。
【００２０】
【発明の実施の形態】
以下、添付図面を参照して、本発明に係る空調装置を備えた車両の実施の形態を詳細に説明する。
図１は、本発明の実施の形態に係る空調装置を備えた車両に搭載される空調装置を示すブロック図である。
車両は、図１に示すエンジン２およびモータ・ジェネレータＧを駆動源として走行する例えばハイブリッド車であって、排気ガスの排出量の低減するために、車両が信号待ちで一時停止したときや、渋滞中に一時停止したとき等に、自動的にエンジン２を停止して再始動させる自動停止・再始動機能を備えている。
その車両は、エンジン２によって走行する場合、エンジン２のみで走行して、モータ・ジェネレータＧの走行モータ（図示せず）が駆動されないモードと、エンジン２の動力の一部をモータ・ジェネレータＧのジェネレータ（図示せず）を発電機として充電するようなモードを備えている。そのモータ・ジェネレータＧの充電するモードは、エンジン２からの充電のほか、例えば、車両の減速時にエンジン２に燃料を噴射しない状態（ヒューエルカット状態）で、車輪からの駆動力によってモータ・ジェネレータＧを回動して車両のエネルギーを充電するモード（減速回生モード）をも備えている。そして、その車両では、モータ・ジェネレータＧの走行モータで単独走行する場合、エンジン２の吸排気弁を閉じて、シリンダが動く際のエネルギーロス（ポンピングロス）を減少させた状態で走行する。
また、その車両は、車室内の空気の暖房および冷房を行う空調装置１を備えている。その車両は、バス、トラック、作業車または乗用車であってもよく、車体の構造等は特に限定しない。
【００２１】
空調装置１は、冷凍サイクル装置Ａによる冷房機能および除湿機能と、エンジン２の冷却水の循環通路Ｂに設けたヒータコアＨによって車室内への送風を加温する暖房機能とを備えている。
空調装置１は、この空調装置１の冷凍サイクル装置Ａを作動させる冷房のためのエンジン駆動圧縮機６およびモータ駆動圧縮機７からなるハイブリッド型コンプレッサ５、凝縮器９、受液器１０、膨張弁１１および蒸発器１２と、暖房用のエンジン２の冷却水の循環通路Ｂを構成するヒータコアＨ、機械式ウォータポンプＰ２、サーモスタットＴｈ、ラジエータＲおよび電動ウォータポンプＰ１と、制御装置４とから構成されている。
【００２２】
次に、図１を参照して冷房側の各機器から順次に説明する。
図１に示すように、エンジン２は、例えば、ガソリン、軽油、アルコールまたはプロパンガスを燃料とする車両走行用の内燃機関であり、車輪Ｗを回転させるための役割と、モータ・ジェネレータＧを回転させて蓄電装置１７に電気エネルギーを蓄積させるための役割と、エンジン駆動圧縮機６を駆動させるための役割と、暖房用のエンジン２の冷却水を加温させるための役割とを備えている。エンジン２とモータ・ジェネレータＧとは、回転軸２１で直結されることによって、ハイブリッド型を構成している。この構成によりエンジン２とモータ・ジュエネレータＧとによる駆動力の発生や、減速時など車輪からのエネルギーをモータ・ジジェネレータＧの回転により蓄電することを可能としている。エンジン２の他端側には、エンジン駆動圧縮機６を連動させるための伝達装置８が設置されている。エンジン２およびモータ・ジュエネレータＧの回転は、変速機Ｔｒを介して車輪Ｗに伝達される。
【００２３】
図３は、本発明の実施の形態に係る空調装置を備えた車両に搭載されるハイブリッド型コンプレッサの断面図である。
その伝達装置８は、エンジン２に設置されたプーリ８２と、エンジン駆動圧縮機６に設置されたプーリ８５とにベルト８３を巻き掛けてなるベルト伝達機構からなる。伝達装置８は、例えば、エンジン２の他端側に配置されてこのエンジン２によって回転する回転軸８１と、この回転軸８１の先端に設置されたプーリ８２と、エンジン駆動圧縮機６を駆動させるためのプーリ８５（図３参照）と、プーリ８２とプーリ８５とを連動させるためのベルト８３と、エンジン駆動圧縮機６に設置された駆動軸８４（図３参照）と、この駆動軸８４に設置された電磁クラッチ８６（図３参照）とから構成されている。
【００２４】
モータ・ジェネレータＧは、エンジン２を始動させるためのスタータモータの機能と、エンジン２の回転または車輪からの駆動力の回転によって発電する機能とを備えている。そのモータ・ジェネレータＧは、バッテリ１８を充電し、各電気機器に電力を供給する蓄電装置１７に電気的に接続されている。
【００２５】
モータ３は、制御装置４、エアコンスイッチ１５およびイグニッションスイッチ１９を介してバッテリ１８に電気的に接続されて、このバッテリ１８によって回転して、モータ駆動圧縮機７を駆動するための動力源である。このモータ３は、例えば、ブラシレスモータからなり、モータ駆動圧縮機７に内設されている（図３参照）。そのモータ３の回転は、中間部にクラッチ３２を介在した回転軸３１によってモータ駆動圧縮機７に断続的に伝達できるように構成されている（図１および図３参照）。
【００２６】
図１に示すように、冷凍サイクル装置Ａは、空調装置１における冷凍サイクルを形成するものである。その冷凍サイクル装置Ａは、ハイブリッド型コンプレッサ５と、凝縮器９と、受液器１０と、膨張弁１１と、蒸発器１２とを主要部として構成され、ハイブリッド型コンプレッサ５を上流側、蒸発器１２を下流側として、これらを順次に接続して構成されている。冷凍サイクルは、蒸発、圧縮、凝縮、膨張からなる冷媒のサイクルであり、蒸発は蒸発器１２で行われ、圧縮はハイブリッド型コンプレッサ５で行われ、凝縮は凝縮器９で行われ、膨張は膨張弁１１で行われる。
【００２７】
ハイブリッド型コンプレッサ５は、フロン（ＨＦＣ１３４ａ）や二酸化炭素（ＣＯ２）等からなる冷媒を圧縮する除湿冷房用の機器である。ハイブリッド型コンプレッサ５は、例えば、図３に示すように、圧縮機の省動力のために、エンジン２（図１参照）によって駆動されるエンジン駆動方式のエンジン駆動圧縮機６と、モータ３によって駆動される電動式のモータ駆動圧縮機７との２つのスクロール式の圧縮機から構成されている。そのハイブリッド型コンプレッサ５ａでは、冷媒が、ヒータコアＨから吸入口を通ってハイブリッド型コンプレッサ５内に入り、固定スクロール６ａ，７ａに組み合わさった可動スクロール６ｂ，７ｂが旋回運動することによって吸入、圧縮が行われて、吐出ポート６ｃ，７ｃを通り吐出口５ｂから凝縮器９に圧送される。ハイブリッド型コンプレッサ５は、制御装置４の圧縮機制御部４１ａに電気的に接続されて制御されている。
【００２８】
エンジン駆動圧縮機６は、モータ駆動圧縮機７の容量（例えば、スクロール部が１５ｃｃ）より大きい容量（例えば、スクロール部が７５ｃｃ）の圧縮機からなる。図１に示すように、エンジン駆動圧縮機６は、冷房および除湿が必要とされる環境下において、２つある圧縮機の中、このエンジン駆動圧縮機６が主に稼動して蒸発器１２の下流の空気の温度（以下、単に「蒸発器温度」という）が目標蒸発器温度に制御されている。このエンジン駆動圧縮機６は、車室内温度設定部１６で設定された車室内設定温度と、外気温度、湿度、日射等の環境要素とに基づいて目標温度算出部４１ｂで算出された目標蒸発器温度と、蒸発器の空気温度センサ１２２で検出された空気の蒸発器温度との差によって、圧縮機制御部４１ａで制御されて駆動する。
エンジン駆動圧縮機６に設置された駆動軸８４の中間部位には、電磁クラッチ８６が設置されて、エンジン２の回転が断続的に伝達されるように構成されている。このエンジン駆動圧縮機６は、圧縮機制御部４１ａに電気的に接続されている。
【００２９】
モータ駆動圧縮機７は、クラッチ３２を介して回転軸３１によってモータ３に接続され、エンジン駆動圧縮機６の補助のためのモータ３によって回転する電動式圧縮機である。モータ駆動圧縮機７は、エンジン２によって駆動されるエンジン駆動圧縮機６と一緒に作動するか、エンジン２を自動停止させているときに作動するか、若しくはそのエンジン駆動圧縮機６の単独作動に係わらず作動する。モータ駆動圧縮機７は、低負荷または除湿暖房等が必要とされる環境下において、２つある圧縮機の中、このモータ駆動圧縮機７が主に稼動して蒸発器温度が目標蒸発器温度に制御されている。このモータ駆動圧縮機７は、前記車室内設定温度と、前記目標蒸発器温度と、前記蒸発器温度との差等によって、圧縮機制御部４１ａで制御されて駆動する。
このように、モータ駆動圧縮機７は、蒸発器１２によって除湿・冷却された空気が流れるこの蒸発器１２の下流側の空気温度と目標蒸発器温度によって、その回転が制御されるが、エンジン２の作動時には、その目標蒸発器温度が２〜３℃程度高く持ち替えられる。
【００３０】
凝縮器９は、ハイブリッド型コンプレッサ５で高圧高温になった冷媒を熱交換によって冷却し、液化する機器である。この凝縮器９は、配管によって、受液器１０に接続されている。
【００３１】
受液器１０は、凝縮器９によって液化された冷媒を一時貯えるボンベに相当する機器である。受液器１０は、ドライヤ（図示せず）等を介して膨張弁１１に接続され、そのドライヤ（図示せず）で冷媒中の水分を除去して膨張弁１１に冷媒を供給する。
【００３２】
膨張弁１１は、蒸発器１２の入り口に取り付けられ、高温高圧の液化冷媒がここを通過すると液体から霧状の気体に変化して噴射する機器である。この膨張弁１１は、配管によって蒸発器１２に接続されて、電気的に制御装置４に接続されている。膨張弁１１には、絞り弁（図示せず）が内設されており、蒸発器１２に設置された蒸発器の空気温度センサ１２２の検出値によって絞り弁を制御装置４がコントロールして、蒸発器１２に噴射する冷媒の流量（冷媒能力）を調節している。
【００３３】
蒸発器１２は、冷媒を気化することにより車室内の空気の熱を奪って冷却する熱交換器であり、空調ケース１４に内設されている。その蒸発器１２の上流側には、ブロアファンモータ１２１が設置されている。このブロアファンモータ１２１によって、蒸発器１２で除湿・冷却された空気やヒータコアＨで加温された空気は、車室内に送られて、車室内の空気を吸引して循環が行われる。蒸発器１２は、冷媒が元のハイブリッド型コンプレッサ５に戻るように配管によって接続されている。蒸発器１２の冷媒の温度は、蒸発器制御部４１ｄによって制御されている。蒸発器１２は、空調制御部４１に電気的に接続されている。
【００３４】
ブロアファンモータ１２１は、例えば、空調ケース１４内の蒸発器１２の上流側に設置されるとともに、制御装置４のファン制御部４１ｃに電気的に接続されている。ブロアファンモータ１２１は、このファン制御部４１ｃによって回転が制御されて、送風量がコントロールされている。ブロアファンモータ１２１は、回転すると、内気導入口から車室内の空気を吸引、または外気導入口から外気を吸入して蒸発器１２およびヒータコアＨに当てて、蒸発器１２で除湿・冷却された空気またはヒータコアＨで加温された空気をデフドア１４３やベントドア１４４やフロアドア１４から車室内に送風する。
なお、ブロアファンモータ１２１は、特許請求の範囲における「ファン」に相当する。
【００３５】
蒸発器の空気温度センサ１２２は、蒸発器１２で冷媒を気化することによって冷却された空気の温度を検出する温度検出器であり、空調ケース１４内の蒸発器１２の下流側に設置されている。なお、蒸発器の空気温度センサ１２２は、エバ後センサとも称されている。
【００３６】
車室内温度設定部１６は、乗員が車室内の気温を設定するものであり、制御装置４に電気的に接続されている。この車室内温度設定部１６、エアコンスイッチ１５、および車室内温度設定部１６で設定した温度になるように自動制御させるための自動制御スイッチ（図示せず）は、例えば、インストルメントパネルに設置されたコントロールパネルに設置されている。
【００３７】
次に、図１を主に参照して暖房側の各機器を説明する。
図１に示すように、前記エンジン２は、冷却水がサーモスタットＴｈからラジエータＲに供給されるとともに、エンジン２の回転力で駆動する機械式ウォータポンプＰ２からエンジン２のウォータジャケット内を循環することにより冷却されて適温に維持されるように構成されている。このエンジン２の冷却水は、車室内を暖房するための熱源として利用されるため、分流されて、電動ウォータポンプＰ１からヒータコアＨに流れて機械式ウォータポンプＰ２に戻る循環通路Ｂを形成するように構成されている。
【００３８】
図４は、本発明の実施の形態に係る空調装置を備えた車両に搭載される電動ウォータポンプの断面図である。
電動ウォータポンプＰ１は、図１に示す循環通路Ｂ内のエンジン２の冷却水を流動させるための暖房用のポンプであって、図４に示すように、電動モータＭによって回転するロータマグネットＰ１１と、このロータマグネットＰ１１の磁力によって回転して冷却水を吸入側からポンプ室Ｐ１３に吸入して吐出側に排出する羽根車Ｐ１２と、ポンプ室Ｐ１３とモータ室Ｐ１４との間に設置されて羽根車Ｐ１２の回転軸Ｐ１５を支持する隔壁Ｐ１６とから構成されている。その電動ウォータポンプＰ１は、図１に示すように、吸入側を配管によってサーモスタットＴｈに接続し、吐出側を配管によってヒータコアＨに接続するとともに、制御装置４のウォータポンプ制御部４１ｈに電気的に接続されている。
【００３９】
図１に示すように、ヒータコアＨは、エンジン２によって加温された冷却水の熱で空気を加温する熱交換を行うものである。このヒータコアＨの上流側には、蒸発器１２を通過した空気をヒータコアＨ側に導いたり、迂回させるためのエアミックスドア１４２が設置されている。
【００４０】
エアミックスドア１４２は、例えば、ヒータコアＨの空気の入り口を開閉する回動式の板ドアからなり、回動中心側に設置されたエアミックスサーボモータ（図示せず）によって開閉される。このエアミックスドア１４２は、図１に示すように、閉塞ポジションａにあるとき、空調ケース１４内の空気がヒータコアＨに流れることを阻止し、中間ポジションｂにあるとき、空調ケース１４内の空気がヒータコアＨに半分流れるようにして、開放ポジションｃにあるとき、空調ケース１４内の空気が全部ヒータコアＨに流れるようにコントロールする。エアミックスドア１４２を回動させるエアミックスサーボモータ（図示せず）は、制御装置４のエアミックス制御部４１ｇに電気的に接続されるとともに、エアミックス制御部４１ｇによって駆動が制御されている。
【００４１】
空調ケース１４は、上流側に内気導入口と外気導入口との切り替えを行うインテークドア１４１が設置され、下流側に蒸発器１２によって除湿冷却またはヒータコアＨによって加温された空気をデフロスタに吐出させるためのデフドア１４３、ベンチレータに吐出させるためのベントドア１４４、および足もとに吐出させるためのフロアドア１４５がそれぞれ設置されている。インテークドア１４１、デフドア１４３、ベントドア１４４、フロアドア１４５は、サーボモータによって電動的に作動させるようにしても、手動的に回動させるようにしてもどちらでもよい。
【００４２】
制御装置４は、電気・電子回路と所定のプログラムとからなるＥＣＵであり、空調制御部４１やエンジン２をコントロールするエンジン制御部４２や蓄電装置１７への充放電の切り替えを行う制御部やその他機器の制御部（図示せず）を備えている。
【００４３】
次に、図１および図２を参照して空調制御部４１を説明する。
図２は、図１の空調装置に使用する制御装置の構成を示すブロック図である。
図１に示すように、空調制御部４１は、エンジン駆動圧縮機６、モータ駆動圧縮機７、膨張弁１１、蒸発器１２、ブロアファンモータ１２１、ヒータコアＨおよび電動ウォータポンプＰ１の作動を制御するものである。この空調制御部４１は、圧縮機制御部４１ａと、目標温度算出部４１ｂと、ファン制御部４１ｃと、蒸発器制御部４１ｄと、膨張弁制御部４１ｅと、暖房制御部４１ｆと、エアミックス制御部４１ｇと、ウォータポンプ制御部４１ｈとから構成されている。
【００４４】
図２に示すように、その空調制御部４１には、車速検出信号を出力する車速センサ２２と、アクセル開度検知信号を出力するアクセル開度検知センサ２３と、エンジン２（図１参照）の回転速度を検出してエンジン回転速度信号Ｎｅを出力するエンジン回転速度センサ（Ｎｅセンサ）２４と、車室内の温度を検出して車室温度検出信号を出力する車室温度センサ２５と、車室外の温度を検出して外気温度検出信号を出力する外気温度センサ２６と、太陽の日射量を検出して日射量検出信号を出力する日射量センサ２７と、目標蒸発器温度の基準となる乗員によって設定された車室内の設定温度の目標温度設定信号を出力する車室内温度設定部１６と、エンジン駆動圧縮機負荷信号を出力するエンジン駆動圧縮機６と、モータ駆動圧縮機負荷信号を出力するモータ駆動圧縮機７と、蒸発器負荷信号を出力する蒸発器１２と、ファン電圧信号を出力するブロアファンモータ１２１と、蒸発器１２で冷却された空気の温度を検出して蒸発器の空気温度検出信号を出力する蒸発器の空気温度センサ１２２と、絞り弁開度信号を出力する膨張弁１１と、エアミックスドア開度信号を出力するエアミックスドア１４２と、エンジン水温検出信号を出力する水温センサ２９と、ウォータポンプ作動信号を出力する電動ウォータポンプＰ１とが接続されている。
なお、ファン電圧信号およびエアミックスドア開度信号は、エンジン２の自動停止・再始動の許可の指令値も兼ねている。
【００４５】
そして、空調制御部４１は、次のような機能を備えている。
まず、空調制御部４１は、蒸発器の空気温度センサ１２２で検出した蒸発器温度と、目標温度算出部４１ｂで算出した目標蒸発器温度とを比較して、蒸発器温度が目標蒸発器温度より低いときに、モータ駆動圧縮機７を駆動するモータ３の出力を低減させる機能を備えている。
空調装置１は、エンジン駆動圧縮機６を停止する前に、モータ駆動圧縮機７の出力を予め上昇させて、エンジン駆動圧縮機６を作動させ、モータ駆動圧縮機７による冷房能力を高めておく機能を備えている。
さらに、空調装置１は、モータ駆動圧縮機７が作動中に、このモータ駆動圧縮機７の負荷が所定値以上になったときに、エンジン駆動圧縮機６を作動させて、このエンジン駆動圧縮機６がモータ駆動圧縮機７の出力を適宜に補助させる機能を備えている。
【００４６】
図１に示すように、空調制御部４１は、冷凍サイクル装置Ａを作動させるにあたり、例えば、エンジン２のみが駆動している場合には、エンジン駆動圧縮機６を作動させる命令信号が出力されるように構成されている。このエンジン駆動圧縮機６の駆動命令信号によって電磁クラッチ８６が繋がれてエンジン駆動圧縮機６が、作動するように構成されている。
また、空調制御部４１は、エンジン２が自動停止中には、モータ駆動圧縮機７および電動ウォータポンプＰ１の駆動命令信号を出力して、モータ駆動圧縮機７および電動ウォータポンプＰ１が作動されるように構成されている。
【００４７】
そして、エンジン２を自動再始動するにあたって、空調制御部４１は、モータ・ジェネレータＧによってエンジン２が駆動すると同時に、エンジン駆動圧縮機６の駆動命令信号を出力して、エンジン駆動圧縮機６が作動されるように構成されている。そして、自動停止・再始動制御部４２ａによってモータ・ジェネレータＧによりエンジン２が駆動すると、空調制御部４１は、エンジン駆動圧縮機６とモータ駆動圧縮機７と、機械式ウォータポンプＰ２が一緒に作動されるように構成されている。
【００４８】
圧縮機制御部４１ａは、車室内の気温が目標温度算出部４１ｂで算出した目標蒸発器温度になるように、ハイブリッド型コンプレッサ５のエンジン駆動圧縮機６とモータ駆動圧縮機７をコントロールする制御器である。
【００４９】
目標温度算出部４１ｂは、予め設定した外気温度や日射量等の所定の外乱条件により、車室内温度設定部１６で乗員が設定した冷房および暖房の設定温度に車室内の気温が等しくなるように空調ケース１４から吐出される空気の目標吹き出し温度（ＴＡＯ）を算出するものである。この目標温度算出部４１ｂで算出される値は、外気温度や日射量等によって適切な値に変更される。
【００５０】
ファン制御部４１ｃは、ブロアファンモータ１２１を作動させることによって蒸発器１２の冷気を車室内に循環させるとともに、蒸発器の空気温度センサ１２２で検出した蒸発器１２の空気温度が、目標温度算出部４１ｂで算出された目標蒸発器温度に適宜になるようにブロアファンモータ１２１の回転速度をコントロールする制御器である。なお、ブロアファンモータ１２１は、手動的な操作によってＯＮ・ＯＦＦするようにしてもよい。
【００５１】
蒸発器制御部４１ｄは、蒸発器１２の温度を制御するものである。
膨張弁制御部４１ｅは、膨張弁１１に設置された絞り弁（図示せず）の開度を調整して冷媒の流れをコントロールする制御器である。
暖房制御部４１ｆは、水温センサ２９や外気温度センサ２６等からの諸信号に基づいて、電動ウォータポンプＰ１やエアミックスドア１４２を制御するための信号をエアミックス制御部４１ｇやウォータポンプ制御部４１ｈへ出力するものである。
エアミックス制御部４１ｇは、サーボモータ（図示せず）を作動させることによって、エアミックスドア１４２の開度を制御するものである。
ウォータポンプ制御部４１ｈは、電動ウォータポンプＰ１の駆動、停止および回転速度を制御するものである。
【００５２】
次に、図１および図２を参照してエンジン制御部４２を説明する。
図１に示すように、エンジン制御部４２は、エンジン２の自動停止や自動再始動による自動停止・再始動の可否の判断を行う自動停止・再始動制御部４２ａと、この自動停止・再始動制御部４２ａからの信号に基づいてエンジン２への燃料の供給を停止して自動停止を行うための燃料供給停止部４２ｂと、自動停止中のエンジン２を再始動させるための再始動駆動部４２ｃとから構成されている。
【００５３】
自動停止・再始動制御部４２ａは、燃料供給停止部４２ｂと再始動駆動部４２ｃとにエンジン２への燃料の供給や供給の停止の信号を発信して自動停止を行うとともに、バッテリ１８への充放電の切り替えを主に行うものである。
【００５４】
図２に示すように、自動停止・再始動制御部４２ａは、車速センサ２２と、アクセル開度検知センサ２３と、バッテリ１８（図１参照）に残存する電力量を検出するとともに、その電力量に基づいてバッテリ残容量信号ＳＯＣ（Ｓｔａｔｕｓ  Ｏｆ  Ｃｈａｒｇｅ）を出力するバッテリ残容量センサ２８とに電気的に接続されている。また、自動停止・再始動制御部４２ａには、燃料供給停止部４２ｂと、再始動駆動部４２ｃとが電気的に接続されている。
【００５５】
この自動停止・再始動制御部４２ａは、後記する所定の条件を満たしていることを前提に、アクセル開度検知センサ２３からのアクセルを閉じたアクセル開度検知信号を受けてから、予め設定されたタイマ時間経過後に、燃料供給停止部４２ｂに向けて停止許可フラグＦ１が出力されるように構成されている。そして、停止許可フラグＦ１を受けた燃料供給停止部４２ｂは、エンジン２（図１参照）への燃料供給を停止して、エンジン２（図１参照）を停止させる。また、自動停止・再始動制御部４２ａは、エンジン２（図１参照）が停止した際に、空調制御部４１に向けてエンジン停止信号ＣＳが出力されるように構成されている。
【００５６】
前記した所定の条件、すなわち、図１に示すエンジン２の自動停止・再始動の条件は、例えば、「車両が予め設定された基準速度以下の低車速になったこと」、「ブレーキスイッチがＯＮになっていること」、「エンジン２の冷却水の水温が所定値以上であること」、「車両のシフトポジションがＲ（リバース）以外の所定のポジションになっていること」および「バッテリ残容量信号ＳＯＣに基づいて自動停止・再始動制御部４２ａが判断した結果、バッテリ１８の残存容量が所定値以上であること」からなる要素を少なくとも備えるとともに、これらの要素がすべて満たされていることを要する。
なお、前記所定の条件は、特許請求の範囲の「所定の条件」に相当する。
【００５７】
ここで、「ブレーキスイッチがＯＮ」とは、ブレーキが掛けられている状態をいう。また、「エンジン２の冷却水の水温が所定値以上」とは、水温が低いとエンジン２を再始動できないこともあるため、冷却水がエンジン２を再始動できる温度にあるかをいう。「Ｒ（リバース）以外」とは、シフトポジションがそれ以外のＤ（ドライブ）レンジ等であることを意味する。「バッテリ残存容量所定値以上」とは、バッテリ残容量センサ２８（図２参照）で検出したバッテリ１８の残容量が所定値、例えば、フル充電時の２５％以上であることを意味する。
【００５８】
ただし、次の条件が満たされる場合、自動停止・再始動制御部４２ａは、停止許可フラグＦ１を出力せず、エンジン２は停止しない。この条件、すなわち、エンジン２の自動停止の禁止条件は、「電動ウォータポンプＰ１が故障していること」、「モータ駆動圧縮機７が故障していること」、「バッテリ１８の残存容量が例えば前記所定値未満であること」、「エンジン２の冷却水の水温が所定値未満であること」等が挙げられ、エンジン２の自動停止の禁止条件は、これらの要素のうち少なくとも一つが満たされればよい。なお、前記した「電動ウォータポンプＰ１が故障していること」および「モータ駆動圧縮機７が故障していること」の原因としては、例えば、電動ウォータポンプＰ１のモータ（図示せず）とモータ３とに対する過負荷、過電流、過電圧、電圧低下、コンタクトの溶着等が挙げられる。
なお、前記所定の条件および前記禁止条件は、特許請求の範囲の「所定の条件」に相当する。
【００５９】
また、この自動停止・再始動制御部４２ａは、アクセルが踏み込まれて作動するルーチンによってモータ・ジェネレータＧを駆動させると同時に、再始動駆動部４２ｃに向けて再始動許可フラグＦ２（図２参照）が出力されるように構成されている。そして、再始動許可フラグＦ２（図２参照）を受けた再始動駆動部４２ｃは、エンジン２に対する燃料供給および燃料点火を行い、エンジン２が再始動されるように構成されている。
【００６０】
このような構成でなる空調装置１は、暖房時に、車室内の温度が制御装置４により、電動ウォータポンプＰ１によってエンジン２の冷却水を循環するとともに、エアミックスドア１４２の開度を調整することによって、車室内温度設定部１６で設定した所定温度に維持されるように調整される。
また、空調装置１は、除湿・冷房時に、車室内の温度が制御装置４によって、エンジン駆動圧縮機６とモータ駆動圧縮機７とをコントロールすることにより、エンジン駆動圧縮機６とモータ駆動圧縮機７とが互いに負担を軽減し合って車室内温度設定部１６で設定した所定温度に維持されるように調整される。
【００６１】
次に、図５のフローチャートを参照しながら、空調装置１の動作を説明する。
図５は、本発明の実施の形態に係る空調装置を備えた車両におけるエンジンの自動停止・再始動を示す図で、（ａ）はエンジンを自動停止・再始動させるときの許可信号の出し方を示すフローチャートであり、（ｂ）はエンジンを自動停止・再始動させるときのエアミックスドアの制御を示すフローチャートであり、（ｃ）はエンジンを自動停止したときから再始動させるときまでの制御を示すフローチャートである。
【００６２】
まず、図５（ａ）を主に、各図を参照してエンジン２を自動停止・再始動させるときの許可信号の出し方を説明する。
図１において、イグニッションスイッチ１９を回動操作してエンジン２を始動し、車両を走行させる。すると、各機関や機器に設置した各センサがＯＮしてその情報の読み込みが自動的に行われる。
【００６３】
そして、図５（ａ）において、図１に示すエアコンスイッチ１５がＯＮに操作されると処理がスタート（Ｓｔａｒｔ）する。
ステップＳ１では、空調ケース１４内の空気を流動させるためのブロアファンモータ１２１の電圧を監視して、その電圧がＦＡＮ電圧規定値以下（例えば、８．０Ｖ以下）を判断する。ここでの電圧は、ブロアファンモータ１２１の端子電圧である。
そして、ブロアファンモータ１２１の電圧が「ＦＡＮ電圧規定値以下（例えば、８．０Ｖ以下）」のとき（ＹＥＳ）は、ステップＳ２に進んで、自動停止・再始動制御部４２ａから燃料供給停止部４２ｂにエンジン２への燃料の供給を停止して、エンジン２を自動停止させるためのエンジン２の自動停止の許可信号を発生する。このように、エンジン２の自動停止・再始動は、ブロアファンモータ１２１の電圧値によって行うことにより、例えば、４０ｍｓｅｃ毎に更新されるファン電圧信号の処理サイクルを利用できるため、エンジン２の自動停止の許可信号を従来と比較して早く出すことができる。これにより、エンジン２を停止させている時間を長くすることができるため、燃費の改善を図るとともに空調フィーリングを良好にすることができる。また、空調装置１は、エンジン２の自動停止時にブロアファンモータ１２１の電圧を下げることにより、消費電力を低減させて、バッテリ１８の負担を軽減することができる。
一方、ブロアファンモータ１２１の電圧が「ＦＡＮ電圧規定値以下（例えば、８．０Ｖ以下）」でないとき（ＮＯ）は、元のスタート（Ｓｔａｒｔ）に戻って、ブロアファンモータ１２１の電圧がＦＡＮ電圧規定値以下かの監視を続ける。
【００６４】
次に、図５（ｂ）を主に、各図を参照してエンジン２を自動停止・再始動させるときのエアミックスドア１４２の制御を説明する。
図１において、イグニッションスイッチ１９を回動操作してエンジン２を始動し、車両を走行させる。すると、各機関や機器に設置した各センサがＯＮしてその情報の読み込みが自動的に行われる。
【００６５】
そして、図５（ｂ）において、図１に示すエアコンスイッチ１５がＯＮに操作されると処理がスタート（Ｓｔａｒｔ）する。
ステップＳ１では、ブロアファモータ１２１によって送風された空調ケース１４内の空気がヒータコアＨ側に流れる暖房の状態になっているかを判断するために、「走行中のエアミックスドア１４２の開度は何％か」（例えば、９０％以下）を判断する。エアミックスドア１４２の開度は、エアミックスドア１４２のポジションを知らせるエアミックス開度信号によって検知される。
そして、「走行中のエアミックスドア１４２の開度が所定値」（例えば、９０％以下）のとき（ＹＥＳ）は、エアミックスドア１４２が充分に開いていない状態にあって、空調ケース１４内の空気がヒータコアＨ側に充分に流れないようにして暖房要求が出されていないと判断し、終了する。
一方、「走行中のエアミックスドア１４２の開度が所定値」（例えば、９０％以下）でないとき（ＮＯ）は、エアミックスドア１４２が開いて空調ケース１４内の空気がヒータコアＨ側に流れるように暖房の強い要求が出されていると判断して、ステップＳ１１に進む。
【００６６】
ステップＳ１１では、「電動ウォータポンプＰ１が作動しているか」を判断する。
そして、「電動ウォータポンプＰ１が作動」しているとき（ＹＥＳ）、つまり、電動ウォータポンプＰ１が駆動して暖房用のエンジン２の冷却水が循環通路Ｂを循環しているときは、暖房が作動しているとみなして、ステップＳ１２に進む。
一方、「電動ウォータポンプＰ１が作動」していないとき（ＮＯ）、つまり、電動ウォータポンプＰ１が停止していて暖房用のエンジン２の冷却水が静止しているときは、暖房が作動していないとみなして、終了する。
【００６７】
ステップＳ１２では、エンジン２の冷却水の水温を水温センサ２９のエンジン水温検出信号と、外気の温度を外気温度センサ２６の外気温度検出信号とによって「水温・外気温は規定値以下か」を判断する。なお、水温センサ２９は、例えば、エンジン２のウォータジャケットに設置され、暖房源の水温を直接計測するため、空調ケース１４に内設した蒸発器の空気温度センサ１２２よりも感応が早いため、空調装置１の暖房の状態を早く知ることが可能である。また、外気温度センサ２６は、車体前側に設置されるラジエータＲのさらに前側に設置されることにより、外気の感応が早いため、車両の周囲の環境状況を早く知ることが可能である。
「水温・外気温は規定値以下」のとき（ＹＥＳ）、つまり、エンジン２の冷却水の水温と外気温度が規定値以下のときは、冷却水温度が低くて空気との熱交換が良好に行えず、かつ外気の温度が低く寒いと判断して、ステップＳ１３に進み、終了する。そのステップＳ１３では、「エアミックスドア１４２を規定値ＨＯＴ側へ（例えば、１０％）」回動させる。すなわち、ステップＳ１３では、空調ケース１４内を流れる空気が、ヒータコアＨ側に流れて熱交換されて暖房力が向上されるように、エアミックスドア１４２をポジションｃ側に回動させる。このように、空調装置１は、エアミックスドア１４２を作動させる係数（ＳＷ値）を冷却水の水温の変化に合わせて調整することにより、空調装置１の吹き出し温度を維持することができるため、水温の変化によって吹き出し温度が変化して空調フィーリングが悪化することを防止することができる。
一方、「水温・外気温は規定値以下」でないとき（ＮＯ）、つまり、エンジン２の冷却水の水温と外気温度とが規定値を超えているときは、冷却水の水温が高くて空気との熱交換が良好に行え、かつ外気の温度が比較的高く暖かいと判断して、ステップＳ１４に進む。そのステップＳ１４では、「エアミックスドア１４２は走行時のまま」にして、終了する。すなわち、ステップＳ１４では、空調装置１が最適な暖房状態とみなして、エアミックスドア１４２の開度をエンジン２が自動停止する前の状態を維持する。
なお、前記係数（ＳＷ値）は、特許請求の範囲の「所定係数」に相当する。
【００６８】
このように、空調装置１は、走行時のエアミックスドア１４２の開度やエンジン２の冷却水の水温や外気の温度に応じて、エアミックスドア１４２を回動させるための係数（ＳＷ値）を持ち替えて補正し、エンジン２が自動停止したときの空調装置１を最適な暖房状態にすることができる。
また、空調装置１は、エンジン２が自動停止・再始動している間に、暖房の熱源であるエンジン２側に設置された水温センサ２９の冷却水の水温信号を利用してエアミックスドア１４２を調整することにより、エンジン２が再始動して機械式ウォータポンプＰ２が再駆動したときの空調フィーリングの悪化を防止することができる。
【００６９】
次に、図５（ｃ）を主に、各図を参照してエンジンを自動停止したときから自動再始動させるときまでの制御を説明する。
図１において、イグニッションスイッチ１９を回動操作してエンジン２を始動し、車両を走行させる。すると、各機関や機器に設置した各センサがＯＮしてその情報の読み込みが自動的に行われる。
【００７０】
そして、図５（ｃ）において、図１に示すエアコンスイッチ１５がＯＮに操作されるとスタート（Ｓｔａｒｔ）する。
ステップＳ２０では、「水温は規定値（例えば、７４℃）以上か」を判断する。ステップＳ２０では、水温センサ２９からのエンジン２の冷却水の水温が規定値（７４℃）以上で、充分に冷却水が加温されていて、ヒータコアＨによって空気を良好な状態に熱交換できるかを判断する。
「水温は規定値（例えば、７４℃）以上」のとき（ＹＥＳ）は、エンジン２の冷却水が暖房に適した温度であると判断して、ステップＳ２２に進んで、エンジン２が自動停止する前のエアミックスドア１４２の係数に戻して、走行時の状態にする。
一方、「水温は規定値（例えば、７４℃）以上」でないとき（ＮＯ）は、エンジン２の冷却水が暖房に適した温度に達していないと判断して、ステップＳ２１に進んで、エンジン２が自動停止中のエアミックスドア１４２の係数を維持する。
【００７１】
このように、空調制御部４１は、エンジン２の冷却水の水温が上昇するのに伴い、例えば、水温が１℃上昇するごとに、エアミックスドア１４２の開度を３％づつ変更してリニアに走行中のエアミックスドア１４２の制御に戻す。これにより、空調装置１は、エンジン２が自動停止・再始動したときに空調装置１から吐出される空気の吹き出し温度を急激に変化させないため、空調フィーリングを良好に保つことができる。
また、空調制御部４１は、エンジン２の冷却水の水温が規定値（例えば、７４℃）未満の場合、エンジン２が自動停止中のエアミックスドア１４２の制御を所定時間（例えば、５秒間）継続して、冷却水の水温の上昇を確認した後に、エンジン２が自動停止する前のエアミックスドア１４２の制御に戻す。これにより、空調装置１は、エンジン２が自動停止・再始動したときに車室内に吐出される空気の吹き出し温度が変化することを抑制するため、空調フィーリングを良好に保つことができる。
このように、エアミックスドア１４２を開閉する制御方式を変更することにより、車室内を快適な温度にすることができる。
【００７２】
次に、図１および図２を参照してエンジンを自動停止したときのブロアファンモータの制御を説明する。
ブロアファンモータ１２１の電圧は、次の２つの方向によって調整される。
まず、第１に、ファン制御部４１ｃは、エンジン２が自動停止したとき、走行時のブロアファンモータ１２１からのファン電圧信号を受けて、外気温度センサ２６の外気温度検出信号に応じて、そのブロアファンモータ１２１のファン電圧を下げて調整する。これにより、ブロアファンモータ１２１は、外気温度（車外の寒さ）に応じて車室内に吐出される空気の流量を調整して、車室内を快適な温度にすることができる。
第２に、ファン制御部４１ｃは、エンジン２が自動停止したとき、走行時のブロアファンモータ１２１のファン電圧から所定電圧（例えば、５Ｖ）だけファン電圧を下げる。これにより、ブロアファンモータ１２１は、エンジン２が自動停止したとき、ブロアファンモータ１２１の回転速度を減速して車室内に吐出される空気の流量を減少させて、車室内の温度が変化することを抑制して、空調フィーリングが悪化することを防止することができる。
さらに、ファン制御部４１ｃは、エンジン２が自動停止したとき、走行時のブロアファンモータ１２１からのファン電圧信号を受けて、目標温度算出部４１ｂで算出した目標車室内温度と、このときに車室温度センサ２５で検出した車室内温度との差に応じて、ブロアファンモータ１２１の必要なファン電圧を前記第１および第２の２つの制御方法で最適に設定することができる。
【００７３】
次に、図６を主に参照して、電動ウォータポンプが作動するときの外気温の領域と、エンジンの冷却水の水温との関係を説明する。
図６は、本発明の実施の形態に係る空調装置を備えた車両における電動ウォータポンプが作動するときの外気温の領域と、エンジンの冷却水の水温との関係を示すグラフである。
【００７４】
図６において、図１に示す電動ウォータポンプＰ１は、例えば、外気温度検出センサ２６で検出した外気温が−３０℃〜−１０℃の極低温領域のとき、水温センサ２９で検出する冷却水の水温が約８０℃で作動を開始するようにウォータポンプ制御部４１ｈによって制御されている。
電動ウォータポンプＰ１は、例えば、外気温度検出センサ２６で検出した外気温が−１０℃〜１０℃の低温領域のとき、水温センサ２９で検出する冷却水の水温が約７５℃で作動を開始するようにウォータポンプ制御部４１ｈによって制御されている。
電動ウォータポンプＰ１は、例えば、外気温度検出センサ２６で検出した外気温が１０℃〜３０℃の常温領域のとき、水温センサ２９で検出する冷却水の水温が約６０℃で作動を開始するようにウォータポンプ制御部４１ｈによって制御されている。
電動ウォータポンプＰ１は、例えば、外気温度検出センサ２６で検出した外気温が３０℃〜５０℃の常温領域のとき、水温センサ２９で検出する冷却水の水温が約５０℃で作動を開始するようにウォータポンプ制御部４１ｈによって制御されている。
このように、電動ウォータポンプＰ１は、外気温の外気温領域と、エンジン２の冷却水の水温とによって、作動を開始する条件が決められている。
【００７５】
次に、図７を主に、各図を参照してエンジンの冷却水の水温による電動ウォータポンプの作動を説明する。
図７は、本発明の実施の形態に係る空調装置を備えた車両におけるエンジンの冷却水の水温による電動ウォータポンプに作動を示すフローチャートである。
【００７６】
図１に示すように、イグニッションスイッチ１９を回動操作してエンジン２を始動し、車両を走行させる。すると、各機関や機器に設置した各センサがＯＮしてその情報の読み込みが自動的に行われる。
【００７７】
そして、図７において、図１に示すエアコンスイッチ１５がＯＮに操作されるとスタート（Ｓｔａｒｔ）する。
ステップＳ３０では、「電動ウォータポンプの作動条件の決定」を行い、ステップＳ３１に進む。すなわち、このステップＳ３０では、ウォータポンプ制御部４１ｈが外気温度検出センサ２６で検出した外気温と、水温センサ２９で検出したエンジン２の冷却水の水温とによって、電動ウォータポンプＰ１が作動するときの作動条件を決定する
【００７８】
ステップＳ３１では、前記図６のような「外気温により外気温領域の決定」を行い、ステップＳ３１に進む。ステップＳ３１では、ウォータポンプ制御部４１ｈが外気温度検出センサ２６で検出した外気温によって、電動ウォータポンプＰ１が作動する任意の外気温領域を決定する。
【００７９】
ステップＳ３２では、「外気温領域により電動ウォータポンプＰ１の作動水温の検索」を行い、ステップＳ３３に進む。すなわち、このステップＳ３２では、ウォータポンプ制御部４１ｈが前記外気温領域に基づいて、電動ウォータポンプＰ１が作動するエンジン２の冷却水の水温を検索する。
【００８０】
ステップＳ３３では、水温センサ２９によって、エンジン２の冷却水の実水温と、ウォータポンプ制御部４１ｈに記憶されている電動ウォータポンプＰ１の作動開始水温とを比較して、「冷却水の実水温＞作動開始水温」であるかを判断する。
エンジン２の「冷却水の実水温＞作動開始水温」のとき（ＹＥＳ）は、冷却水がエンジン２によって充分に加温されているとみなして、ステップＳ３４に進んで、「電動ウォータポンプＰ１の作動許可」をしてリターンする。このように、エンジン２を自動停止・再始動するにあたって、エンジン２の冷却水の実水温が所定の作動開始水温以上のときは、電動ウォータポンプＰ１を作動の許可信号が発せられ、冷却水がヒータコアＨに循環して暖房が行われる。
一方、エンジン２の「冷却水の実水温＞作動開始水温」でないとき（ＮＯ）は、冷却水がエンジン２によって充分に加温されていないとみなして、ステップＳ３５に進んで、「電動ウォータポンプＰ１の作動禁止」してリターンする。このように、エンジン２を自動停止・再始動するにあたって、エンジン２の冷却水の実水温が所定の作動開始水温未満のときは、充分な暖房を行うことができないと判断して、電動ウォータポンプＰ１の作動を禁止させ、暖房を行わない。
【００８１】
このような電動ウォータポンプＰ１の作動条件によって、空調装置１は、外気温が低いとき、冷却水が高水温時から電動ウォータポンプＰ１を作動させることができるため、暖房性能を確保して、空調装置１から車室内に吐出される空気の吹き出し温度を適宜に調整できる。
また、空調装置１は、外気温が高いとき、エンジン２の冷却水が低水温時から電動ウォータポンプＰ２を作動させることができることにより、冷却水が低水温時からエンジン２の自動停止・再始動の許可をすることができるため、燃費の改善を図ることができる。
【００８２】
次に、図８を主に、各図を参照して電動ウォータポンプが故障したときのエンジンの自動停止・再始動を説明する。
図８は、本発明の実施の形態に係る空調装置を備えた車両における電動ウォータポンプが故障したときのエンジンの自動停止・再始動を示すフローチャートである。
【００８３】
図１に示すように、イグニッションスイッチ１９を回動操作してエンジン２を始動し、車両を走行させる。すると、各機関や機器に設置した各センサがＯＮしてその情報の読み込みが自動的に行われる。
【００８４】
そして、図８において、図１に示すエアコンスイッチ１５がＯＮに操作されるとスタート（Ｓｔａｒｔ）する。
ステップＳ４０では、「エンジンの自動停止・再始動の可否の判断」を始め、ステップＳ４１に進む。
【００８５】
ステップＳ４１では、「電動ウォータポンプの故障」かを判断する。すなわち、このステップＳ４１では、ウォータポンプ制御部４１ｈが電動ウォータポンプＰ１からのウォータポンプ作動信号によって、過負荷、過電流、過電圧、電圧低下等で電動ウォータポンプＰ１が故障したかを判断する。
そして、「電動ウォータポンプの故障」と判断したとき（ＹＥＳ）は、ステップＳ４４に進んで、「エンジンの自動停止・再始動の禁止」をして、リターンする。このように、電動ウォータポンプＰ１が故障しているときは、エンジン２の自動停止時にエンジン２の冷却水を循環できないため、エンジン２の自動停止・再始動を禁止する。
一方、「電動ウォータポンプの故障」でないと判断したとき（ＮＯ）は、ステップＳ４２に進む。
【００８６】
ステップＳ４２では、「エンジンの自動停止・再始動の条件成立」の判断を行う。ステップＳ４３に進む。すなわち、このステップＳ４２では、自動停止・再始動制御部４２ａによって、「電動ウォータポンプＰ１が故障していること」、「モータ駆動圧縮機７が故障していること」、「バッテリ１８の残存容量が例えば前記所定値未満であること」、「エンジン２の冷却水の水温が所定値未満であること」等のエンジン２の自動停止の禁止条件に触れていないかを判断する。
そして、「エンジンの自動停止・再始動の条件成立」のとき（ＹＥＳ）は、ステップＳ４３に進んで、「エンジンの自動停止・再始動の許可」をして、リターンする。このように、エンジン２の自動停止・再始動を行うときは、前記の条件をクリアしていれば、エンジン２の自動停止時に電動ウォータポンプＰ１によってエンジン２の冷却水を循環して快適な暖房ができるとみなして、ステップＳ４３でエンジン２の自動停止・再始動を許可してリターンする。
一方、「エンジンの自動停止・再始動の条件成立」の判断が成り立たないとき（ＮＯ）は、ステップＳ４４に進んで、「エンジンの自動停止・再始動の禁止」をして、リターンする。
【００８７】
このように暖房制御部４１ｆは、エンジン２を自動停止・再始動する際に、電動ウォータポンプＰ１の故障等によりエンジン２を自動停止・再始動の条件が成り立たないとき、エンジン２が自動停止せず、機械式ウォータポンプＰ２が作動しているため、空調装置１はそのままの状態を維持することができる。
そして、エンジン２を自動停止中に、除湿または冷房を行うときには、モータ駆動圧縮機７により冷房サイクル装置Ａを作動させて、快適な除湿または冷房の状態を維持することができる。
このため、エンジン２を自動停止・再始動により、燃費の改善と排気ガスのクリーン化を図ることができるとともに、このときに空調装置１の暖房能力、冷房能力および除湿能力が低下することを防止して、車室内の気温を快適に維持することができる。
【００８８】
なお、本発明は、前記実施の形態に限定されるものではなく、その技術的思想の範囲内で種々の改造および変更が可能であり、本発明はこれら改造および変更された発明にも及ぶことは勿論である。
【００８９】
例えば、エアミックスドア１４２は、図１に示すような回動軸を中心として回動してヒータコアＨ側の空気の通路を開閉する板ドア式のものに限らず、フィルムドア、ロータリドアまたはスライドドアと称されているものであってよく、その形状等は特に限定しない。
【００９０】
【発明の効果】
以上説明したように、本発明の請求項１に記載の空調装置を備えた車両によれば、車両は、エンジンの自動停止・再始動の許可の判断を、空調装置のファンの電圧信号によって行うことにより、エンジンの自動停止・再始動の許可信号を早く出すことができるため、エンジンの自動停止時間を長くして燃費を改善するとともに、暖房フィーリングを良好にすることができる。
【００９１】
本発明の請求項２に記載の空調装置を備えた車両によれば、車両は、前記エンジンの自動停止・再始動の許可の判断を、空調装置のエアミックスドアの開度に基づいて行うことにより、エンジンが再始動して、空調装置をエンジンが自動停止する前の制御に戻すときの暖房フィーリングを良好にすることができる。
【００９２】
本発明の請求項３に記載の空調装置を備えた車両によれば、車両は、エンジンが自動停止した後、エンジンの冷却水の水温に基づいてエアミックスドアの開度を調整することにより、空調装置から吐出される空気の吹き出し温度をエンジンの冷却水の水温の変化に左右されることなく、維持させることができ、暖房フィーリングを良好にすることができる。
【００９３】
本発明の請求項４に記載の空調装置を備えた車両によれば、車両は、空調装置が、エアミックスドアの開度またはエンジンの冷却水の水温に応じて、エアミックスドアを作動させる所定係数に持ち替えることにより、エアミックスドアの開度またはエンジンの冷却水の水温によってエアミックスドアを適宜に作動させることができる。このため、空調装置から吐出される空気の吹き出し温度は、エアミックスドアの開度またはエンジンの冷却水の水温変化の影響を直接受けて左右されることがなく、暖房フィーリングを良好にすることができる。
【００９４】
本発明の請求項５に記載の空調装置を備えた車両によれば、空調装置は、外気温が低いとき、冷却水が高水温時から電動ウォータポンプを作動させることができるため、暖房性能を確保して、空調装置から車室内に吐出される空気の吹き出し温度を適宜に調整して、暖房フィーリングを良好にすることができる。
一方、空調装置は、外気温が高いとき、エンジンの冷却水が低水温時から電動ウォータポンプを作動させることができることにより、冷却水が低水温時からエンジンの自動停止・再始動の許可をすることができるため、燃費の改善を図ることができる。
【００９５】
本発明の請求項６に記載の空調装置を備えた車両によれば、車両は、電動ウォータポンプが故障したときに、エンジンを自動停止することを禁止することにより、そのエンジンによって作動してエンジンの冷却水を循環させるための機械式ウォータポンプの作動を継続させることができる。これにより、空調装置の作動を維持させて、車室内を快適な温度に維持させることができる。
【図面の簡単な説明】
【図１】本発明の実施の形態に係る空調装置を備えた車両に搭載される空調装置を示すブロック図である。
【図２】図１の空調装置に使用する制御装置の構成を示すブロック図である。
【図３】本発明の実施の形態に係る空調装置を備えた車両に搭載されるハイブリッド型コンプレッサの断面図である。
【図４】本発明の実施の形態に係る空調装置を備えた車両に搭載される電動ウォータポンプの断面図である。
【図５】本発明の実施の形態に係る空調装置を備えた車両におけるエンジンの自動停止・再始動を示す図で、（ａ）はエンジンを自動停止・再始動させるときの許可信号の出し方を示すフローチャートであり、（ｂ）はエンジンを自動停止・再始動させるときのエアミックスドアの制御を示すフローチャートであり、（ｃ）はエンジンを自動停止したときから再始動させるときまでの制御を示すフローチャートである。
【図６】本発明の実施の形態に係る空調装置を備えた車両における電動ウォータポンプが作動するときの外気温の領域と、エンジンの冷却水の水温との関係を示すグラフである。
【図７】本発明の実施の形態に係る空調装置を備えた車両におけるエンジンの冷却水の水温による電動ウォータポンプの作動を示すフローチャートである。
【図８】本発明の実施の形態に係る空調装置を備えた車両における電動ウォータポンプが故障したときのエンジンの自動停止・再始動を示すフローチャートである。
【符号の説明】
１  空調装置
２  エンジン
３  モータ
４  制御装置
５  ハイブリッド型コンプレッサ
６  エンジン駆動圧縮機
７  モータ駆動圧縮機
２６  外気温度センサ
２９  水温センサ
１２１  ブロアファンモータ（ファン）
１４２  エアミックスドア
Ｂ  循環通路
Ｐ１  電動ウォータポンプ
Ｐ２  機械式ウォータポンプ
【図１】
2004360580.tif 000003
【図２】
2004360580.tif 000004
【図３】
2004360580.tif 000005
【図４】
2004360580.tif 000006
【図５】
2004360580.tif 000007
【図６】
2004360580.tif 000008
【図７】
2004360580.tif 000009
【図８】
2004360580.tif 000010